(57)【要約】【課題】本発明は、嵩張る部材を用いることなく、鉛直面や勾配のある斜面への散水をムラなく行うことができるコンクリートの養生方法を提供する。【解決手段】コンクリート体１の鉛直面に散水を行うコンクリートの養生方法であって、コンクリート体１の鉛直面に対して水平方向に連続して接触させた状態に横ロープ１２を配置した後に、コンクリート体１の鉛直面の上部から水を供給する。流れ落ちてくる水を横ロープ１２によって一旦堰き止め、横ロープ１２よりも下方向に供給する水の量を、水平方向で一様し、コンクリート体１の鉛直面に沿って流れ落ちる水の水平方向の偏りを補正する。【選択図】図１
2015048603.tif 000002
【特許請求の範囲】
【請求項１】
コンクリート表面に散水を行うコンクリートの養生方法であって、
前記コンクリート表面に対して水平方向に連続して接触させた状態に横ロープを配置した後に、
前記コンクリート表面の上部から水を供給することを特徴とするコンクリートの養生方法。
【請求項２】
前記横ロープは、吸水性を有することを特徴とする請求項１記載のコンクリートの養生方法。
【請求項３】
前記横ロープは、複数の縦ロープと格子状に接続された散水ネットとして前記コンクリート表面に複数本配置することを特徴とする請求項１又は２記載のコンクリートの養生方法。
【請求項４】
前記縦ロープは、緊張した状態で鉛直方向に配置することを特徴とする請求項３記載のコンクリートの養生方法。
【発明の詳細な説明】
【技術分野】
【０００１】
本発明は、脱枠後のコンクリート表面の乾燥を防止するコンクリートの養生方法に関する。
【背景技術】
【０００２】
コンクリートの品質を向上させ、構造材としての所要の強度および耐久性を付与するためには、打ち込み後、適当な期間、必要な湿度と温度を確保する十分な養生を行う必要がある。養生が十分でないと、ひび割れが生じたり、強度発現が阻害されたりして、構造体コンクリートとして所要の性能が得られなくなる場合もある。特にコンクリートの表層は、表面ひび割れを防止し、十分な強度発現及び耐久性を確保するために、材齢初期から湿潤養生を行い、十分な水和反応を継続させる必要がある。一方、コンクリートの表層は、気温や湿度、風等の気象条件によって品質が影響を受けやすいため、打設時に使用する型枠は、できるだけ長期間取り外さないほうが望ましい。
【０００３】
ところが、型枠は、作業工程の制約や工期の観点から、養生期間に比べると、早期に取り外す場合がある。早期に型枠を取り外すと、コンクリートが直接大気に晒されて、気象条件によって品質が影響を受けるため、脱枠後に湿潤養生を続行するための別途養生工を行う必要がある。
【０００４】
スラブやはりの天端面等の水平面では、湛水や、水で湿られたマットを敷く等の方法により、コンクリート表面を比較的容易に湿潤状態にすることができるが、鉛直面や勾配のある斜面は、散水によってコンクリート表面を湿潤状態にすることが一般的である。散水の方法としては、一般的に、コンクリートの上部に有孔のホースを設けて、連続的あるいは間欠的に散水する方法が用いられている。この方法では、ホースに明ける孔の大きさや間隔、水圧等の条件により、一様に水が流れず、コンクリート表面の湿潤状態にムラが生じやすい。そこで、繊維材と、この繊維材中に埋設された多孔性ドレーン管とを備えた養生シートをコンクリート表面に接触させ、多孔性ドレーン管に給水することで、コンクリート表面を湿潤状態に保つ技術が提案されている（例えば、特許文献１参照）。
【先行技術文献】
【特許文献】
【０００５】
【特許文献１】特開平１０−６１１８４号公報
【発明の概要】
【発明が解決しようとする課題】
【０００６】
しかしながら、従来技術では、繊維材中に多孔性ドレーン管が埋設された厚みのある養生シートでコンクリート表面の全域を覆う必要があるため、コンクリート表面の面積が広い場合には、養生シートが嵩張り、養生シートの運送や取り付け作業が困難なものになってしまうという問題点があった。
【０００７】
本発明は、このような状況に鑑みてなされたものであり、上述の課題を解消し、嵩張る部材を用いることなく、鉛直面や勾配のある斜面への散水をムラなく行うことができるコンクリートの養生方法を提供することにある。
【課題を解決するための手段】
【０００８】
本発明のコンクリートの養生方法は、コンクリート表面に散水を行うコンクリートの養生方法であって、前記コンクリート表面に対して水平方向に連続して接触させた状態に横ロープを配置した後に、前記コンクリート表面の上部から水を供給することを特徴とする。
さらに、本発明のコンクリートの養生方法において、前記横ロープは、吸水性を有していても良い。
さらに、本発明のコンクリートの養生方法において、前記横ロープは、複数の縦ロープと格子状に接続された散水ネットとして前記コンクリート表面に複数本配置しても良い。
さらに、本発明のコンクリートの養生方法において、前記縦ロープは、緊張した状態で鉛直方向に配置しても良い。
【発明の効果】
【０００９】
本発明によれば、嵩張ることがなく、取扱いも容易な横ロープを用いるだけで、コンクリート表面に沿って流れ落ちる水の水平方向の偏りを補正することができ、鉛直面や勾配のある斜面への散水をムラなく行うことができるという効果を奏する。
【図面の簡単な説明】
【００１０】
【図１】本発明に係るコンクリート体の養生方法の実施の形態の施工状態を示す斜視図である。
【図２】図１に示す散水ネットにおける縦ロープと横ロープとの接続部を上方から見た断面図である。
【図３】図１に示す給水ホースの構成を示す図である。
【図４】図１に示す散水ネットによる散水動作を説明するための説明図である。
【図５】図１に示す横ロープを用いた給水動作を説明するための説明図である。
【発明を実施するための形態】
【００１１】
次に、本発明を実施するための形態（以下、単に「実施の形態」という）を、図面を参照して具体的に説明する。
【００１２】
本実施の形態のコンクリートの養生方法は、図１に示すように、図示しない型枠内にコンクリートを打設することにより形成されたコンクリート体１の鉛直面に対して散水を行う養生方法である。
【００１３】
まず、コンクリート体１の鉛直面に散水ネット１０を配置する。散水ネット１０は、複数の縦ロープ１１と、複数の横ロープ１２とが平面格子状に接続されている。縦ロープ１１の両端部には、係止手段としてのフック１３、１４がそれぞれ取り付けられている。そして、縦ロープ１１の一端部に取り付けられたフック１３を、コンクリート体１の天端面から突出している配筋２に係止し、縦ロープ１１の他端部に取り付けられたフック１４に錘体３を吊り下げることで、縦ロープ１１を鉛直方向に緊張して状態で配置させる。これにより、縦ロープ１１に対して平面格子状に接続されている複数の横ロープ１２は、略水平方向にそれぞれ配置されることになる。すなわち、縦ロープ１１は、複数の横ロープ１２をコンクリート体１の鉛直面に間隔をおいてそれぞれ略水平方向に架け渡す横ロープ支持手段として機能する。
【００１４】
縦ロープ１１と横ロープ１２との接続は、図２に示すように、コンクリート体１の鉛直面に対して横ロープ１２が水平方向に連続して接触するように、横ロープ１２の片側のみで行われている。図２に示す例では、横ロープ１２として複数の紐をより合わせた多条のロープを用い、横ロープ１２のよりをといた部分に通した結束紐１５によって、縦ロープ１１と横ロープ１２とを接続している。これにより、縦ロープ１１や結束紐１５が横ロープ１２とコンクリート体１の鉛直面との間に介在することなく、コンクリート体１の鉛直面に対して横ロープ１２を水平方向に連続して接触させることができる。なお、縦ロープ１１と横ロープ１２との接続は、コンクリート体１の鉛直面に対して横ロープ１２が水平方向に連続して接触可能な構成であれば、結束紐１５を用いることなく、縦ロープ１１と横ロープ１２とを接着剤を用いて接続させたり、縦ロープ１１と横ロープ１２とを溶着させたりしても良い。
【００１５】
横ロープ１２は、例えば、水との親和性の高い親水性繊維を用いた吸水性を有するロープである。親水性繊維としては、綿、麻等の天然繊維であっても、レーヨン等の再生繊維であっても良い。
【００１６】
次に、図１を参照すると、給水ホース２０をコンクリート体１の鉛直面の最上部に水平方向に配置する。給水ホース２０の配置は、例えば、一端部に配筋２に係止するフックが取り付けられた取り付け具３０を用いて行うことができる。給水ホース２０は、図３に示すように、軸方向に複数の孔が所定の間隔で形成されているホース２１と、ホース２１の全周を覆う保水層２２とで構成されている。なお、図３において、（ａ）は、給水ホース２０を輪切りにした断面図であり、（ｂ）は、給水ホース２０を軸方向に切断した断面図である。
【００１７】
保水層２２としては、スポンジ等の多孔質素材、網状の繊維シートを巻き回した素材、繊維を３次元的に絡み合わせた素材等を用いることができる。保水層２２は、ホース２１の孔から吐出された水を一旦保水するための層である。これにより、ホース２１の孔から吐出された水は、保水層２２に一旦保水された後、保水層２２の外周から水平方向に満遍なく染み出す。
【００１８】
次に、給水ホース２０のホース２１に水を送る。これにより、給水ホース２０（保水層２２）からの水は、水平方向に満遍なく染み出すため、コンクリート体１の最上部から鉛直面に沿って水平方向に満遍なく流れ落ちる。すなわち、給水ホース２０は、コンクリート体１の鉛直面に対して、コンクリート表面を浸潤状態にするための水を水平方向に満遍なく供給する水供給手段として機能する。
【００１９】
コンクリート体１の鉛直面に沿って流れ落ちた水は、図４に示すように、コンクリート体１の鉛直面に水平方向に架け渡された横ロープ１２によって一旦堰き止められる。すなわち、横ロープ１２は、コンクリート体１の鉛直面に対して水平方向に連続して接触しているため、横ロープ１２とコンクリート体１の鉛直面とで形成される断面Ｖ状の領域が流れ落ちてくる水を溜める貯水部として機能する。
【００２０】
また、横ロープ１２は、吸水性を有しているため、横ロープ１２によって一旦堰き止められた水は、横ロープ１２とコンクリート体１の鉛直面との接触部から下方向に向かって、水平方向に満遍なく流れ落ちる。すなわち、コンクリート体１の鉛直面に沿って流れ落ちる水は、鉛直面の微小な凹凸によって水平方向に偏りが生じる虞がある。そこで、流れ落ちてくる水を横ロープ１２によって一旦堰き止めることで、横ロープ１２よりも下方向に供給する水の量を、水平方向で一様にすることができる。これにより、コンクリート体１の鉛直面に沿って流れ落ちる水の水平方向の偏りを補正することができるため、コンクリート体１の鉛直面への散水をムラなく行うことができ、コンクリート体１の鉛直面をムラなく浸潤状態に保つことが可能になる。
【００２１】
なお、横ロープ１２を配置する間隔は、コンクリート体１の鉛直面の凹凸状態や、水の供給量等に応じて適宜設定すると良い。例えば、横ロープ１２間の縦ロープ１１をクリップ等でまとめることで、横ロープ１２を配置する間隔を調整することができる。これにより、コンクリート体１の鉛直面への散水状況を見ながら、横ロープ１２を配置する間隔を調整することができる。
【００２２】
また、本実施の形態では、コンクリート体１の鉛直面に対して、コンクリート表面を浸潤状態にするための水を水平方向に満遍なく供給する水供給手段として給水ホース２０を用いたが、横ロープ１２を水供給手段として用いることもできる。この場合には、図５に示すように、横ロープ１２をコンクリート体１の鉛直面の最上部に配置させる。これにより、コンクリート体１の天端面を湛水状態とすることで、横ロープ１２とコンクリート体１の鉛直面との接触部から下方向に向かって、水平方向に満遍なく流れ落ちる。
【００２３】
さらに、本実施の形態では、複数の縦ロープ１１と、複数の横ロープ１２とで散水ネット１０を構成し、複数の縦ロープ１１によって複数の横ロープ１２を水平方向に配置させるように構成したが、必ずしも縦ロープ１１は必要ではない例えば、横ロープ１２の両端をアンカー等に係止し、横ロープ１２自体を水平方向に緊張させることで、複数の横ロープ１２を水平方向に配置させることができる。
【００２４】
以上説明したように、本実施の形態は、コンクリート体１の鉛直面に散水を行うコンクリートの養生方法であって、コンクリート体１の鉛直面に対して水平方向に連続して接触させた状態に横ロープ１２を配置した後に、コンクリート体１の鉛直面の上部から水を供給する。
この構成により、流れ落ちてくる水を横ロープ１２によって一旦堰き止め、横ロープ１２よりも下方向に供給する水の量を、水平方向で一様にすることができる。これにより、嵩張ることがなく、取扱いも容易な横ロープ１２を用いるだけで、コンクリート体１の鉛直面に沿って流れ落ちる水の水平方向の偏りを補正することができ、コンクリート体１の鉛直面への散水をムラなく行い、コンクリート体１の鉛直面をムラなく浸潤状態に保つことが可能になる。
【００２５】
さらに、本実施の形態において、横ロープ１２は、吸水性を有している。
この構成により、横ロープ１２によって一旦堰き止められた水を、横ロープ１２とコンクリート体１の鉛直面との接触部から下方向に向かって、水平方向に満遍なく流すことができる。
【００２６】
さらに、本実施の形態において、横ロープ１２は、複数の縦ロープ１１と格子状に接続された散水ネット１０としてコンクリート体１の鉛直面に複数本配置する。
この構成により、縦ロープ１１の上端をコンクリート体１の天端面から突出している配筋２に係止することで、簡単に横ロープ１２をコンクリート体１の鉛直面に配置させることができる。
【００２７】
さらに、本実施の形態において、縦ロープ１１は、緊張した状態で鉛直方向に配置する。
この構成により、簡単に横ロープ１２を水平方向に配置させることができる。
【００２８】
以上、本発明を実施の形態をもとに説明した。この実施の形態は例示であり、それらの各構成要素の組み合わせ等にいろいろな変形例が可能なこと、またそうした変形例も本発明の範囲にあることは当業者に理解されるところである。
例えば、勾配のある斜面を有するコンクリート体や、角型断面のコンクリート柱等にも本発明を適用することができる。
【符号の説明】
【００２９】
１  コンクリート体
２  配筋
３  錘体
１０  散水ネット
１１  縦ロープ
１２  横ロープ
１３、１４  フック
１５  結束紐
２０  給水ホース
２１  ホース
２２  保水層
３０  取り付け具
【図１】
2015048603.tif 000003
【図２】
2015048603.tif 000004
【図３】
2015048603.tif 000005
【図４】
2015048603.tif 000006
【図５】
2015048603.tif 000007